(57)【要約】【課題】  引き出し式の収納容器を引き出す際、扉の開閉角度を大きく開かない状態でも収納容器を充分引き出すことを可能とすると共に、熱損失を抑制して電力消費を抑制できる冷蔵庫を提供する。【解決手段】  冷蔵室前面に対して前記扉を開いた状態で前記収納容器を引き出した場合において、引き出される収納容器に対向する扉背面には、少なくともヒンジ側で且つ収納容器の高さ寸法に対応する部分に前記凸部を備えない若しくは収納容器に干渉しない高さの前記凸部を備え、反ヒンジ側の凸部はヒンジ側の収納容器に干渉しない高さの凸部よりも高い寸法に形成されている冷蔵庫とした。【選択図】  図１３
2014013092.tif 000002
【特許請求の範囲】
【請求項１】
扉により封止される庫内空間に収容された引き出し式の収納容器と、
前記扉背面の左右に前記扉を閉じた状態で庫内側に突出する凸部と、
この左右の凸部間にドアポケットと、を備え、
冷蔵室前面に対して前記扉を開いた状態で前記収納容器を引き出した場合において、引き出される収納容器に対向する前記扉の背面には、少なくともヒンジ側で且つ収納容器の高さ寸法に対応する部分に前記凸部を備えない若しくは前記収納容器に干渉しない高さの前記凸部を備え、反ヒンジ側の凸部はヒンジ側の収納容器に干渉しない高さの凸部よりも高い寸法に形成されていることを特徴とする冷蔵庫。
【請求項２】
請求項１に記載の冷蔵庫において、
前記凸部がドアライナーであることを特徴とする冷蔵庫。
【請求項３】
請求項１に記載の冷蔵庫において、
前記凸部は、前記扉を９０度開いた状態で、前記収納容器の前端が９０度に開いた扉の先端位置まで引き出し可能な高さであることを特徴とする冷蔵庫。
【請求項４】
請求項１に記載の冷蔵庫において、
前記部分的に備えない若しくは収納容器に干渉しない高さの凸部を備える位置よりも高い位置にドアポケットを有することを特徴とする冷蔵庫。
【請求項５】
請求項１に記載の冷蔵庫において、
前記収納容器は、引出し支持部材を介して前記ヒンジ側で且つ収納容器の高さ寸法に対応する部分の前記凸部を備えない若しくは収納容器に干渉しない高さの前記凸部位置よりも引き出した状態で支持されることを特徴とする冷蔵庫。
【発明の詳細な説明】
【技術分野】
【０００１】
本発明は、貯蔵物を冷蔵や冷凍する冷蔵庫に関する。
【背景技術】
【０００２】
現在主流となっている冷蔵庫において、貯蔵物を出し入れする為の扉は、前方側に左右に分割された観音開き（いわゆるフレンチ型）式か、若しくは、下部の扉は引き出し式かで構成されている。冷蔵庫内には、約３〜５℃の冷蔵温度帯の貯蔵室である冷蔵室及び野菜室や、約０℃で保存できるようにした貯蔵室であるチルド室や、約−１８℃の冷凍温度帯の冷凍室等が区画配設されている。冷蔵室扉内のチルド室や野菜室、冷凍室には、収納性や可搬性、視認性を向上する為に、収納容器が設けられていれている。また、特許文献１に記載のような観音開き式扉においては、扉の背面側(冷蔵庫内側)に、上下方向に延びたドアライナーやドアポケット等の凸部を設けられているので、庫内の収納容器を引き出す際は、ドアライナー等の凸部に接触しない範囲（９０度以上）に扉を開き、収納容器を引き出すこととなる。
【０００３】
また、特許文献２に記載の冷蔵室は、扉が９０度以上開かない場合でも引出し式の野菜ケースを取り外して冷蔵庫内を清掃できるようにするため、冷蔵室内に設けた野菜ケースと対向する部分の扉内板面をドアガスケット頂面より凹面とし、この凹面部分に着脱可能に扉棚を取り付けている。
【０００４】
特許文献３に記載の冷蔵庫は、冷凍室容器を充分引き出して食品の出し入れを容易にするため、冷凍室扉に収納ポケットを設けないようにしている。これに加えて、実施例６では冷凍室の冷却性能を向上させる目的で、冷凍室扉の冷凍室容器上面相当部分より上部周縁に形成したスロート形成用土手部を設けている。当該スロート形成用土手部の先端は、冷凍室容器の側部よりも内側に位置するが、冷凍室容器よりも上部にある。
【先行技術文献】
【特許文献】
【０００５】
【特許文献１】特開平４−１８７９８１
【特許文献２】実全昭５５−４６１４８
【特許文献３】特許第３２９４９６４
【発明の概要】
【発明が解決しようとする課題】
【０００６】
特許文献１のような冷蔵庫の観音開き（フレンチ式）扉において、冷蔵庫の左右どちらかに扉を開く際には、接触する壁や家具等の障害物があった場合に、冷蔵庫の扉が他の障害物に干渉することになるため、冷蔵庫の扉を９０度以上開くことができない。
【０００７】
このように冷蔵庫の扉を９０度以上開かない状態では、観音開き扉で封止された庫内に設けられた引き出し式の収納容器（野菜容器など）を引き出す際、収納容器が扉背面側に設けられた凸部やドアライナーに接触するので、充分収納容器を引き出すことが難しかった。このような理由により、冷蔵庫の配置箇所に制限があった。
【０００８】
特許文献２においては、冷蔵室内の清掃をする際や収納容器を取り外す際には、ドアポケットを事前に取り外す必要があった。しかも、清掃時を除く通常使用時に収納品の出し入れを行う際には、ドアポケットに収納容器が接触してしまい、収納容器を充分引き出すことが難しく収納物の出し入れがし難いことが考えられる。
【０００９】
また、特許文献３においては、収納ポケットを冷凍室扉に設けない構成や略コの字状のスロート形成用土手を設けた構成が開示されているが、収納容器を引出し過ぎて落下させてしまう虞がある。
【００１０】
本発明は、扉の開閉角度を９０度以上に開かない状態でも収納容器を充分引き出すことを可能とすると共に、熱損失を抑制して電力消費を抑制できる冷蔵庫の提供を課題とする。
【課題を解決するための手段】
【００１１】
上記課題を解決するため、扉により封止される庫内空間に配置された引き出し式の収納容器と、扉背面の左右に当該扉を閉じた状態で庫内側に突出する凸部と、この左右の凸部間にドアポケットを備え、冷蔵室前面に対して前記扉を開いた状態で前記収納容器を引き出した場合において、引き出される収納容器に対向する扉背面には、少なくともヒンジ側で且つ収納容器の高さ寸法に対応する部分に前記凸部を備えない若しくは収納容器に干渉しない高さの前記凸部を備え、反ヒンジ側の凸部はヒンジ側の収納容器に干渉しない高さの凸部よりも高い寸法に形成されている冷蔵庫とした。
【発明の効果】
【００１２】
本発明に依れば、扉を大きく開かなくとも扉内の収納容器の引き出し範囲を広げることが可能となるため、使い勝手の良好な冷蔵庫を提供できる。しかも反ヒンジ側には前記凸部を備えるため、扉を閉じた状態において、観音開き扉の場合は前記収納容器に干渉しない高さの凸部よりも高い寸法の凸部が接近対向して隙間を形成するため、庫内の冷気が扉側面に対流して流れるのが抑制される。これにより、扉側面を冷却して熱損失することを抑制し、扉側面に結露が発生し難くなり結露防止のための加熱の必要性も小さくなるので、電力消費を抑えることに繋がる。
【００１３】
これは、観音開き式の扉に限らず片開き式の扉でも同様の効果を得られる。
【図面の簡単な説明】
【００１４】
【図１】本実施例に係る冷蔵庫の斜視図
【図２】本実施例に係る冷蔵庫の縦断面図
【図３】本実施例に係る冷蔵庫庫内の要部を示す縦断面図
【図４】本実施例に係る冷蔵庫本体の右側壁と背面壁を省略した後方斜視図
【図５】本実施例に係る冷蔵庫における野菜容器とチルド室周辺の断面拡大図
【図６】本実施例に係る冷蔵庫における野菜容器の正面図と右側面図、後方斜視図
【図７】本実施例に係る冷蔵庫におけるベースの前方斜視図
【図８】野菜容器を載置したベースの拡大断面図
【図９】野菜容器を載置した別の実施形態のベースの拡大断面図
【図１０】ベース側レール部と冷蔵庫本体側レールを示す拡大断面図
【図１１】ローラーの位置と動きを示す斜視図
【図１２】本実施例に係る冷蔵庫の右側扉を示す図
【図１３】本実施例に係る冷蔵庫の扉を９０度開けた状態で野菜室を引き出した斜視図
【発明を実施するための形態】
【００１５】
＜実施の形態＞
以下、図面を参照して、この発明に係る冷蔵庫を具体的に説明する。なお、同様な部位や矢印などは同一符号をもって示し、重複した説明を省略する。
【００１６】
図１は、本実施例に係る冷蔵庫を示す斜視図であり、図２は、本実施例に係る冷蔵庫の扉開状態を示す正面図であり、図３は、本実施例に係る冷蔵庫庫内の要部を示す縦断面図である。
【００１７】
冷蔵庫１は、その本体部を成す冷蔵庫本体１Ｈに、冷蔵室３、チルド室４、野菜室５、冷凍室６が区画配設されている。冷蔵庫本体１Ｈの前方側上部には、左右に分割された観音開き（いわゆるフレンチ型）の扉２ａ、２ｂを備えている。図２に示す通り、この扉２ａ、２ｂの開閉により、冷蔵室３、チルド室４、野菜室５内の貯蔵物を取出し、又は、収納ができる。また、冷蔵庫本体１Ｈの前方側下部には、引出式の扉２ｃが備えられており、この扉２ｃの開閉により、冷凍室５内の貯蔵物の取出し・収納ができる。
【００１８】
また、本実施例の冷蔵庫１においては、冷蔵空間を構成する冷蔵室３、チルド室４、野菜室５が上から順に配置されており、野菜室５は冷蔵室３、チルド室４に比べて前方に張り出した形状を成している。このように野菜室５が張り出した空間を有することで、野菜室空間の大容量化を実現できる。
【００１９】
冷蔵室３及び野菜室５は、約３〜５℃の冷蔵温度帯の貯蔵室である。冷蔵室２には、冷蔵庫本体１Ｈの内側の左右の両側面に設けられた突出部に支持された、貯蔵物を収納する収納棚３ａとチルド室４との仕切りも兼ねた収納棚３ｂが配設されている。また、ドアポケット８は冷蔵室扉２ａ（２ｂ）の冷蔵室２に対向する面(背面側)に設けられている。また、野菜室５に対向する高さ位置においては、野菜室５が冷蔵室３やチルド室４に比べて前方に張り出した形状であるため、当該張り出し部分と干渉しない様にドアポケット８は設けられていない。
【００２０】
このように野菜室５が張り出し部分を有することで大きな野菜を大量に収納できるばかりでなく、冷蔵扉２ａ、２ｂ背面の冷蔵室３とチルド室４に対向する位置にドアポケット８を有することでペットボトルやボトル型の調味料など、冷蔵が必要な食品を効果的に収納できる。
【００２１】
チルド室４は、約０℃で保存できるようにした貯蔵室である。チルド室４内には、引き出すことにより取出し可能なチルド室容器４ａが配置されている。チルド室容器４ａの上部には収納棚３ｂが配設されているので、チルド室４内の冷気が外に漏れにくくなっている。
【００２２】
また、図２に示す通り、チルド室４上部の冷蔵室３の庫内の背面に、切り換えレバー４ｂが設けられている。この切り換えレバー４ｂを左右に切り換えることにより、チルド室４内の図示しない冷気口の開閉を操作できる。冷気口を開くことにより、後述する冷却器１２により冷却された冷気は、冷却器冷気循環ファン１１の働きにより、冷気ダクト８を流れ、冷気が流れることになる。
【００２３】
従って、使用者がチルド室３の室内の温度を調節することができるので、使用者にとって適した温度管理ができる。なお、本実施例では操作する際の使いやすい高さを考慮して、冷蔵室２の最下段の背面に切り換えレバー３ａを設けた例を示しているが、当然これに限るものではなく、冷蔵庫本体１Ｈ内の他の箇所であってもよいし、外から操作できるようにしてもよい。
【００２４】
冷凍室６は、約−１８℃の冷凍温度帯の貯蔵室である。冷凍庫６内には、引出式の上段冷凍庫容器６ａと、下段冷凍庫容器６ｂが内部に配置されている。下段冷凍庫容器６ｂは、冷凍室扉２ｃに固着された図示しない支持枠に支持されており、冷凍室扉２ｃと共に引き出される。上段冷凍庫容器６ａは、また、下段冷凍庫容器６ｂと共に引き出される構成としても良いし、また、中に残る構成として、上段冷凍庫容器６ａを単独で引き出す構成としてもよい。
【００２５】
冷却器室１０、は冷凍室６の後方上部から野菜室５の後方部に突出して形成した空間であり、ここには冷気循環用ファン１１ａ、１１ｂと冷却器１２が配置されている。また、冷蔵庫本体１Ｈの背面下部には凹状に機械室１３が形成され、この機械室１３には、圧縮機１４が設けられている。冷却器１２の下部には霜取りヒータ１５が設けられ、冷却器１２に付着した霜は霜取りヒータ１５により溶かされて、ドレンパイプ１６により機械室１３の上部に導かれて、下に排水される。
【００２６】
図４は、冷蔵庫本体の右側壁と背面壁を省略した後方斜視図である。冷却器１２で生成された冷気を、冷気循環用ファン１１ａ、１１ｂの働きにより、冷蔵室３やチルド室４、野菜室５、冷凍室６に供給することができる。なお、冷気循環用ファン１１ａは、冷蔵室３やチルド室４、野菜室５用に冷気を送る為のファンであり、一方、冷気循環用ファン１１ｂは冷凍庫６用に冷気を送る為のファンである。冷気循環用ファン１１ｂにより、冷凍室６に吹き出された冷気は、冷凍室６内を冷却した後、冷凍室６の背面中央に戻される。その後、霜取りヒータ１５を通り、冷却器冷気循環ファン１１ａの働きにより、冷蔵室本体１Ｈの背面の内部に設けられた冷気ダクト１７を流れ、冷蔵室３とチルド室４の背面に設けられた冷気流路１８を通り、冷気流路に設けられた吹出口より冷気が流れることになる。
＜＜野菜室の具体的構成＞＞
次に、図５から図１１を参照して、野菜室４の具体的構成について説明する。図５は、野菜容器（収納容器の例）とチルド室周辺の断面拡大図であり、図６は、収納容器である野菜容器の正面図と右側面図、後方斜視図である。
【００２７】
野菜室５には、収納容器である野菜容器５０が設けられている。野菜容器５０はドアポケット８の配設されていない冷蔵室扉２ａ、２ｂの内面、仕切壁５ａの上面、チルド室４との仕切り部４ｃ、４ｄの下面、及び背面立上げ部５ｂと野菜室５の両側面５ｃ（図１０にて図示）で囲まれた空間に入る大きさの容積をもつ容器である。野菜容器５０は、後述するベース６０に載置されて保持される。使用者は、ベース６０の手掛け部６１に手をかけてベース６０と共に野菜容器５０を引き出す構成となっている。
【００２８】
図５に示す通り、冷蔵室３とチルド室４の仕切りを兼ねた収納棚３ｂは、冷蔵室扉２ａ、２ｂを閉じた状態において、チルド室前方のドアポケット８に向かって、可及的に近づけて設けられている。また、チルド室４と野菜室５との間には、チルド室４の底面である仕切り部４ｃと、仕切り部４ｃの前方端部から後述する野菜容器５０の前方上部まで成形された仕切り部４ｄと、が連続して設けられている。つまり、野菜室５及び野菜容器５０は、上方のチルド室４及びチルド容器４ａよりも張り出した状態で配置されている。
【００２９】
従って、冷蔵室３内の冷気は、収納棚３ｄとドアポケット８により、チルド室４に流入しにくくなっている。更に、仕切り部４ｄとドアポケット８の底面により、野菜室５に、冷気が流入しにくくなっている。つまり、他の室内の冷気がチルド室４や野菜室５内に入りにくくすることにより、室温の低下や上昇を防ぐことができ、温度を適切に管理できる。
【００３０】
次に、図６を用いて、野菜容器５０の形状について説明する。図６において、（ａ）は正面図、（ｂ）は右側面図、（ｃ）は後方斜視図を示す。
【００３１】
野菜容器５０は、ベース６０の手掛け部６１に沿うように手掛け凹部５１が成形されている。従って、野菜容器５０をベース６０に載置した場合に、手掛け凹部５１と手掛け部６１が嵌合するので、野菜容器５０の載置位置が一意に決まり、手掛け凹部５１は野菜容器５０の位置決め手段としても作用することになる。このように、ベース６０に手掛け凹部を備えることで、野菜容器５０の左右前後の移動が抑制されて、野菜容器５０の安定保持が可能となる。
【００３２】
また、（ｃ）に示す通り、野菜容器５０の底面には、凸面部５２が設けられ凹凸成形されている。ベース６０により保持されている状態において、この凸面部５２が野菜容器５０とベース６０の底面との間に空間を作ることになる。この空間に冷気が入りこむことによって、野菜容器５０内の断熱効果を高め、野菜容器５０とベース６０相互に熱を伝わりにくくする役割を果たす。従って、野菜室４内の安定した保冷特性を得ることが可能となる。
【００３３】
また、本実施例の野菜容器５０は、横幅寸法Ａが奥行き幅寸法Ｂよりも大きい構成となっている。従って、一般的に多種類の貯蔵物が貯蔵される収納容器において、横幅が長い方が、奥までの視認性が向上するので、利便性が向上する。また、このような構成とすることで、野菜室後方の空間を有効活用でき、設計の自由度を向上させることができる。
【００３４】
次に、図７から図９を用いて、ベース６０の形状と素材について説明する。図７は、ベースの前方斜視図であり、図８は、野菜容器を載置したベースの拡大断面図であり、図９は、野菜容器を載置した別の実施形態のベースの拡大断面図である。
【００３５】
ベース６０は、ガラス素材から成形されたガラス部材６１と、樹脂素材、例えばポリアセタールから成形されたガラス部材６１を囲むように組み合わされた樹脂部材６２と、から構成されている。
【００３６】
樹脂部材６２は、野菜容器５０が載置される保持部６３と、野菜容器５０の前後左右の移動を抑制する側壁６４と、冷蔵庫本体１Ｈ側に設けられた後述するレール７０と嵌合するレール部６５とが一体的に形成されている。レール部６５は、側壁６４より冷蔵庫側壁の方向に突出したように形成されている。また、図８において示す通り、ベース６０は、樹脂部材６２の保持部６３とレール部６５の端部とで上下に挟みこむようにガラス部材６１の外枠が覆われ、保持部６３と共に野菜容器５０を保持している。
【００３７】
本実施例においては、野菜容器５０は、横幅寸法Ａが奥行き幅寸法Ｂよりも大きい構成となっている。この野菜容器５０の寸法比率にあわせる様に、ベース６０についても横幅寸法が奥行き幅寸法よりも大きい構成となっている。
【００３８】
このような寸法比率にする場合、ベース６０の両端に設けられたレール部６５と冷蔵庫本体１Ｈ側のレール７０とが接続したときに、ベース６０中央に向かって撓み力が生じる。このとき、ベース６０の中央近傍を含む一部を樹脂に比べて曲げ剛性の高いガラス素材で形成することで、この撓みを抑えることができる。
【００３９】
つまり、ベースの枠の素材を樹脂で成形し、その底面の一部をガラス素材とすることにより、樹脂や金属で成形したベースと比較して強度を増すことができる。ベース６０を上記のように構成することで、荷重負荷の大きい野菜容器５０において、樹脂のみで成形した場合では、土台が撓みにより変形する恐れがあったが、これを抑制することができる。また、ガラス素材は樹脂や金属と比較して安価なので、製造コストを下げることができる。
【００４０】
加えて、ボトムフリーザー冷蔵庫において、一般的に野菜室の背面には冷気循環用ファンが配置されていることが多く、ベース５０にガラス材よりも軟質な樹脂を含む構成とすることにより、ファンの騒音やモータによる振動を吸収することができて、静音効果や防振効果が期待できる。
【００４１】
また、上記のガラス部材６１は可視光に対して透明な素材であっても良いし、半透明、不透明な素材であっても良い。透明もしくは半透明素材を用いた場合には、野菜容器５０の空間を仕切る底面が透過して視認できることになるため、利用者に対して容器空間を大きく見せることが可能となる。
【００４２】
なお、本実施例において、樹脂部材６２の保持部６３とレール部６５の端部とで上下に挟みこむようにガラス部材６１の外枠が覆われる構成としたがこれに限るものではない。例えば、図９に示す通り、ベース６０より保持部６３を無くして、ガラス部材６１をレール部６５の端部に載置する構成としても良い。このような構成とすることにより、ガラス部材はベースに載置されているだけなので、取り外すことができる。従って、ガラス部材を丸洗いできるので、清掃性を向上することができる。また、清掃する際、ベースを樹脂素材とガラス素材に分けて持ち運び可能となるので、可搬性を向上させることができる。
【００４３】
また、ベース６０にジュースや汁がこぼれたのを長期間気づかなかった場合でも、ガラス部材６１がジュースや汁の成分によって劣化し難いため、ベース６０の強度低下による撓み及び変形し易くなるのを防止できる。これにより、野菜容器５０に収納物が沢山収納されてベース６０に大きな荷重が加わっても、スムースな引出し操作が維持可能である。
【００４４】
図１０と図１１を用いて、レール構造について説明する。図１０は、ベース側レール部と冷蔵庫本体側レールを示す拡大断面図であり、図１１は、ローラーの位置と動きを示す斜視図である。レール部６５は、後述する冷蔵庫本体側ローラー７１を受ける略コの字状の受け部６６を有している。一方、野菜室５の両側面５ｃ下部には凹部が設けられており、その凹部にはベース６０のレール部６５が案内されるレール７０が形成されている。レール７０は、一方のレール部６５よりやや大きい寸法の横断面コの字状の凹形状を有し前後方向に延在している。また、側面レール７０の底面を、後述するベース６０の後方両側面に固着されたベース側ローラー６７が前後方向に回転移動する。
【００４５】
図１１中、（ａ）は、ベースが引き出されている状態を示す斜視図であり、（ｂ）はベースが冷蔵庫本体に収容されている状態を示す斜視図である。冷蔵庫本体側レールの一部を透視した前方斜視図である。図中、冷蔵庫本体１Ｈの側面と、冷蔵庫本体側のレール７０の側面を透視している。レール７０の前方の端部にはローラー７１が固定されており、受け部６６と嵌り合って前後に回転可能に設けられている。一方、ベース６０の後方両側面には、ベース側ローラー６７が設けられている。ベース側ローラー６７は、レール７０の底面を前後に回転移動することにより、ベース７０を引き出し可能となる。
【００４６】
本実施例において、ベース側のレール部は、冷蔵庫側壁の方向に対して外側に張り出すように形成されている。そして、野菜室の側面に一体成形などにより形成したレールを作り、この中にベース側のレール部を入れる構成とした。従って、野菜容器と野菜室の両側壁との隙間（クリアランス）を小さくすることができる。その結果、デッドスペースを小さくでき、収納容器の容積を拡大できる。
＜＜冷蔵室扉の背面構造について＞＞
次に、野菜容器５０を引き出した際の、冷蔵室扉２ａ、２ｂとの接触関係を説明する。図１２は、本実施例に係る冷蔵庫の右側扉を示す図であり、図１３は、本実施例に係る冷蔵庫の扉を９０度開けた状態である。図１２中、（ａ）は、ドアライナー１０１側（反ヒンジ側）を手前側とした斜視図であり、（ｂ）はヒンジ部（ヒンジ側）を手前側とした斜視図である。図１３中（ａ）は野菜容器５０を収納した状態を示し、（ｂ）は開けた扉の先端付近に設けられている凸部であるドアライナー１０１位置まで野菜容器５０を引き出した状態を示す斜視図である。
【００４７】
冷蔵室扉２ｂは、飲み物や小物を収納するポケット８を有し、冷蔵室扉２ｂを開放した際の手前側に設けられたドアライナー１０１と、ヒンジ部１０４を介して回転可能に固定されているヒンジ側に設けられ扉を閉じた状態で庫内側に突出する凸部であるドアライナー１０２が上下に渡り設けられている。そして、冷蔵室扉２ｂを開いて野菜容器５０を引き出した際に、少なくとも引き出される野菜容器５０に対向する位置の扉背面部分１０３において凸部が設けられていない。また、ドアポケット８の位置は、野菜容器５０に対向する扉背面部分１０３よりも高い位置に設けられており、野菜容器５０を引き出す際に干渉しない。
【００４８】
この扉背面部分１０３に凸部を設けない構成とすることにより、図１３に示す通り、ドアを９０度開けた状態において、野菜容器５０に接触するものが無く、開けた扉の先端付近に設けられている凸部であるドアライナー１０１に接する位置まで野菜容器５０を引き出すことができる。従って、冷蔵庫の投影面積を超える範囲に及んで扉を開かずとも（冷蔵室扉２ｂを冷蔵庫本体１Ｈの横寸法を超えて開けない状態であっても）、収納容器を充分に引き出すことができる。すなわち、前記収納容器である野菜容器５０は、引出し支持部材であるレールを介して前記ヒンジ部側で且つ収納容器である野菜容器５０の高さ寸法に対応する部分の前記凸部を備えない若しくは収納容器である野菜容器５０に干渉しない高さの前記凸部位置よりも引き出した状態で支持される。尚、図１３の例ではドアを９０度開けた状態で説明しているが、野菜容器５０と冷蔵室３の側面壁との間には通常は空間が空いているので、ドアを９０度まで開けなくても９０度近く（例えば８０度）開ければ、野菜容器５０を食品の出し入れに充分な寸法引き出すことが出来る。また、扉を大きく開く必要が無いので、冷気の流出も少なく出来る。
【００４９】
上述の通り、扉背面の凸部やドアライナーに部分的（収納容器である野菜容器５０に対向する位置）に凸部を設けない構成とすることにより、扉の左右に壁や家具の障害物があった場合においても、冷蔵庫を設置することができるので、使用者それぞれの部屋のレイアウトに沿った配置が可能となる。また、扉を大きく開く必要が無いので、冷気が漏れにくく、省エネ効果がある。
【００５０】
また、ヒンジ部を介して回転可能に固定されているヒンジ側にのみ凸部を設けないことによって、収納容器である野菜容器５０を引き出す際に、冷蔵室扉の前方の凸部であるドアライナー１０１がストッパーの役割を果たし、収納容器が前方に出すぎないように止めることができる。従って、不用意に収納容器（野菜容器５０）を引き出し過ぎることが防止できるので、収納容器（野菜容器５０）を支持するレールなどの引出し支持部材の端部に過大な荷重が集中して加わることや、過大な集中荷重が端部に加わることによるレールなどの引出し支持部材の損傷を防止することが出来る。或いは、レールなどの引出し支持部材のスライド寸法以上に引き出すことを防止できるので、レールなどの引出し支持部材から収納容器が外れて落下する恐れを防ぐことができる。収納容器を支持するレールなどの引出し支持部材を有しない場合でも、収納容器の奥行き寸法が扉の幅寸法よりも収納容器を引出し過ぎるのを防止して同様の効果を得ることができる。
【００５１】
また、収納容器（野菜容器５０）を引き出し過ぎることが防止できることにより、収納容器（野菜容器５０）を手で保持することなく充分引出した状態で食品の出し入れ作業が出来るため、使い勝手が良好であると共に作業を短時間で行える。これによって、冷気の流出を最小限にすることが可能となり、省電力に繋がる。
【００５２】
しかも扉を閉じた状態の観音開き扉の場合において、反ヒンジ側の凸部であるドアライナー１０１は、前記収納容器である野菜容器５０に干渉しない高さの凸部よりも高い寸法の凸部が接近対向して隙間を形成するため、庫内の冷気が左右の扉の対向する扉側面間の隙間に対流して流れるのが抑制される。これにより、扉側面を冷却して熱損失することが抑制されると共に、扉側面に結露が発生し難くなり結露防止のための加熱の必要性も小さくなる。これによって、電力消費量を抑えることが出来る。
【００５３】
尚、上記実施例は観音開き式の扉で説明したが、これに限らず片開き式の扉でも同様の効果を得られる。
【００５４】
なお、本実施例においては、収納容器である野菜容器５０を引き出した場合に、少なくとも引き出される野菜容器に対向する位置の扉背面には、部分的に凸部を備えない構成としたがこれに限らない。部分的に凸部を備える構成としても、収納容器である野菜容器５０に干渉しない高さ寸法の凸部を設ける構成としてもよい。また、本実施例において、野菜容器５０について説明したが、引き出し式の収納容器であればそれに対向する位置の扉背面に、前記凸部を部分的に備えない若しくは収納容器に干渉しない高さ寸法の凸部を備える構成とすればよい。なお、冷蔵室扉２ａについては、説明を省略したが、冷蔵室扉２ｂと同様の構成が設けられている。
【００５５】
なお、本実施例において、冷蔵室扉を９０度に開ける構成としたが、これに限られるものではなく、例えば、野菜容器５０を引き出すための手掛け凹部に手が掛る程度に扉を開いた状態(例えば３０度程度)であっても、ドア背面側に設けられたドアライナー等の凸部材と干渉しない様に、収納容器である野菜容器５０を引き出すことが出来る。つまり、従来あった冷蔵室扉から突出して設けられていた凸部が存在していた場合、当該凸部を引出し式の収納容器である野菜容器５０と対向する位置に凸部を設けない若しくは、収納容器である野菜容器５０が干渉しない程度の高さ寸法に凸部を設けることによって、収納容器である野菜容器５０の引き出せる範囲を拡張することが可能となる。
【００５６】
なお、本実施例において、冷蔵室扉の最も下に位置する野菜容器５０に対向する位置の扉背面に凸部を備えない若しくは野菜容器５０に干渉しない高さ寸法の凸部を設ける構成を説明したが、これに限るものではない。観音開き式若しくは片開き式の扉において、引き出し構造を有する収納容器が設けられている構成なら、その収納容器の位置に対向して凸部を設けない若しくは収納容器に干渉しない高さ寸法の凸部を設ける構成とすればよい。また、「凸部を設けない若しくは収納容器に干渉しない高さ寸法の凸部」との表現としたが、他に例えば、収納容器に干渉しない程度の凹部や切欠き形状という表現としてもよい。
【符号の説明】
【００５７】
１      冷蔵庫
１Ｈ    冷蔵庫本体
２ａ，２ｂ  冷蔵室扉、  ２ｃ  冷凍室扉
３      冷蔵室
４      チルド室
５      野菜室
６      冷凍室
８      ドアポケット
１０    冷却器室
１１    冷気循環用ファン
１２    冷却器
１３    機械室
１４    圧縮機
１５    霜取りヒータ
１６    ドレンパイプ
１７    冷気ダクト
１８    冷気流路
５０    野菜容器
６０    ベース
【図１】
2014013092.tif 000003
【図２】
2014013092.tif 000004
【図３】
2014013092.tif 000005
【図４】
2014013092.tif 000006
【図５】
2014013092.tif 000007
【図６】
2014013092.tif 000008
【図７】
2014013092.tif 000009
【図８】
2014013092.tif 000010
【図９】
2014013092.tif 000011
【図１０】
2014013092.tif 000012
【図１１】
2014013092.tif 000013
【図１２】
2014013092.tif 000014
【図１３】
2014013092.tif 000015